(57)【要約】  増幅回路は、信号を増幅して出力ポートから出力する可変利得増幅器と、可変利得増幅器の増幅率を変えることができる制御部と、可変利得増幅器の出力ポートから出力された信号を周波数変換して出力する混合器と、混合器が出力する信号のうちの所定の周波数の成分の信号を出力するフィルタと、フィルタの出力する信号の電力に基づく電力値を検出して制御部に送る検出部とを備える。増幅率を変えた直後にフィルタが出力する信号の品質を示す品質値が実質的に設定品質値となるように、制御部は電力値に応じて増幅率を変える。この増幅回路の消費電力は小さくすることができる。
2009107359.tif 000002
【特許請求の範囲】
【請求項１】
入力ポートから入力された信号を増幅して出力ポートから出力する可変利得増幅器と、
前記可変利得増幅器の増幅率を変えることができる制御部と、
前記可変利得増幅器の前記出力ポートから出力された前記信号を局部発振信号と混合して、前記信号を周波数変換して出力する混合器と、
前記混合器が出力する前記信号のうちの所定の周波数の成分の信号を出力するフィルタと、
前記フィルタの出力する前記信号の電力に基づく第１の電力値を検出して前記制御部に送る第１の検出部と、
を備え、
前記増幅率を変えた直後に前記フィルタが出力する前記信号の品質を示す品質値が実質的に設定品質値となるように、前記制御部は前記第１の電力値に応じて前記増幅率を変える、増幅回路。
【請求項２】
前記可変利得増幅器の前記出力ポートと前記フィルタとの間の信号の電力の大きさに基づく第２の電力値を検出する第２の検出部をさらに備え、
前記増幅率を変えた直後に前記フィルタが出力する前記信号の品質を示す品質値が実質的に前記設定品質値となるように、前記制御部は前記第１の電力値と前記第２の電力値とに応じて前記増幅率を変える、請求項１に記載の増幅回路。
【請求項３】
前記第２の検出部が前記制御部に前記第２の電力値を送る頻度に比べて、前記第１の検出部が前記制御部に前記第１の電力値を送る頻度が多い、請求項２に記載の増幅回路。
【請求項４】
前記第１の電力値と、前記第２の電力値のうち少なくとも１つは、前記制御部へ送信される時間間隔が変化し、
前記制御部へ前回送信された値に対して、今回送信される値が第１の所定値より小さい場合、前記時間間隔は長くなり、
前記制御部へ前回送信された値に対して、今回送信される値が第２の所定値より大きい場合、前記時間間隔は短くなる、請求項２に記載の増幅回路。
【請求項５】
前記制御部は、前記第２の電力値を所定期間で平均化した値に基づいて前記可変利得増幅器の前記増幅率を変えるように動作する、請求項２に記載の増幅回路。
【請求項６】
前記可変利得増幅器は、
前記入力ポートから入力された前記信号を所定の増幅率で増幅して前記出力ポートから出力する増幅器と、
前記入力ポートと前記出力ポートとの間に接続され、前記入力ポートと前記出力ポートとの間の接続、非接続を切り替えるスイッチと、
を有し、
前記制御部は、
前記スイッチを接続している時は、前記増幅器への電力の供給を停止し、
前記スイッチを非接続にしている時は、前記増幅器へ電力を供給する、
ように動作する、請求項１に記載の増幅回路。
【請求項７】
前記制御部は、前記第１の電力値が切替判断値を超えた直後に前記増幅率を変えるように動作し、
前記切替判断値は前記局部発振信号の周波数によって異なる、請求項１に記載の増幅回路。
【請求項８】
前記制御部は、
前記増幅率を増幅率Ｇ（１）、…、Ｇ（ｎ−１）、Ｇ（ｎ）、…Ｇ（ｍ）に設定でき（ｎ、ｍは２＜ｎ＜ｍを満たす整数）、
前記増幅率が増幅率Ｇ（２）、…、Ｇ（ｎ−１）、Ｇ（ｎ）、Ｇ（ｎ＋１）、…、Ｇ（ｍ）であるときに信号のＣ／Ｎ値が設定Ｃ／Ｎ値になるときのそれぞれの電力値Ｐ１を切替判断値Ｐｃ（２）、…、Ｐｃ（ｎ−１）、Ｐｃ（ｎ）、Ｐｃ（ｎ＋１）、…Ｐｃ（ｍ）として記憶し、
前記増幅率が増幅率Ｇ（ｎ−１）である間に前記第１の電力値が前記切替判断値Ｐｃ（ｎ）よりも小さい値から前記切替判断値Ｐｃ（ｎ）より大きい値に変化した場合には、前記電力値Ｐ１が前記切替判断値Ｐｃ（ｎ）を超えた直後に前記増幅率を増幅率Ｇ（ｎ−１）から増幅率Ｇ（ｎ）に変え、
前記増幅率が増幅率Ｇ（ｎ）である間に前記第１の電力値が前記切替判断値Ｐｃ（ｎ）よりも大きい値から前記切替判断値Ｐｃ（ｎ）より小さい値に変化した場合には、前記電力値Ｐ１が前記切替判断値Ｐｃ（ｎ）を下回った直後に前記増幅率を増幅率Ｇ（ｎ）から増幅率Ｇ（ｎ−１）に変える、請求項１に記載の増幅回路。
【請求項９】
前記制御部は前記第１の電力値を前記制御部へ送っていない期間に、前記第１の検出部への電力の供給を停止するように動作する、請求項１に記載の増幅回路。
【請求項１０】
前記設定品質値はドップラー周波数に基づいて決定される、請求項１に記載の増幅回路。
【請求項１１】
前記可変利得増幅器の前記出力ポートと前記混合器との間に接続された高周波可変利得増幅器をさらに備え、
前記制御部は、前記可変利得増幅器の前記増幅率と前記高周波可変利得増幅器の増幅率を同時に変えるように動作する、請求項１に記載の増幅回路。
【請求項１２】
前記フィルタと前記第１の検出部との間に接続された中間周波可変利得増幅器をさらに備え、
前記制御部は、前記可変利得増幅器の前記増幅率と前記中間周波可変利得増幅器の増幅率を同時に変えるように動作する、請求項１に記載の増幅回路。
【請求項１３】
前記入力ポートに入力された前記信号はガードインターバルを有し、
前記制御部は前記ガードインターバルの期間内に前記可変利得増幅器の前記増幅率を変える、請求項１に記載の増幅回路。
【請求項１４】
前記制御部は、前記第１の電力値を所定期間で平均化した値に基づいて前記可変利得増幅器の前記増幅率を変えるように動作する、請求項１に記載の増幅回路。
【請求項１５】
請求項１に記載の増幅回路と、
前記増幅回路の前記フィルタの出力する信号を処理する情報処理部と、
前記処理された信号に基づいて画像を表示する表示部と、
を備えた受信装置。
【発明の詳細な説明】
【技術分野】
【０００１】
本発明は、増幅回路と、携帯電話などの通信装置に使用される、その増幅回路を用いた受信装置に関する。
【背景技術】
【０００２】
図１１は、携帯電話等の通信装置に用いられる特許文献１に記載されている従来の増幅回路１００のブロック図である。増幅回路１００は、アンテナ１０１からの信号が入力される入力端子１０２と、入力端子１０２に接続されてアンテナからの信号の雑音を除去するフィルタ１０３と、フィルタ１０３の出力に接続された増幅器１０４と、増幅器１０４の出力に接続されたスイッチ１０５と、フィルタ１０３の出力とスイッチ１０５とを接続するバイパス部１０６と、スイッチ１０５の出力に接続された出力端子１０７と、スイッチ１０５を制御する制御部１０８とを有する。制御部１０８は、増幅器１０４の出力する信号の電力値を検出し、この電力値を基にスイッチ１０５を制御する。【０００３】
図１２はフィルタ１０３から出力されて増幅器１０４へ入力される信号の電力値Ｐｉｎ１と増幅器１０４から出力される電力値Ｐｏｕｔ１の関係を示す。図１２において、横軸は増幅器１０４に入力される信号の電力値を表し、縦軸は増幅器１０４から出力される信号の電力値を表している。図１２において、増幅器１０４に入力される電力値が閾値Ｐｓ以下の場合は、出力は入力と線形の関係を有する。増幅器１０４に入力される電力値Ｐｉｎ１が閾値Ｐｓ以上の場合には、出力される電力値Ｐｏｕｔ１は入力と非線形の関係となり出力された信号が歪む。信号が歪むと、信号を精度良く復調することが困難となり、受信特性が劣化する。従来の増幅回路１００では、増幅器１０４へ入力される信号の電力値Ｐｉｎ１が閾値Ｐｓを超えた場合、制御部１０８はスイッチ１０５を制御してバイパス部１０６と出力端子１０７とを接続し、増幅器１０４と出力端子１０７とを切断する。これにより、増幅器１０４で歪んだ出力信号が出力端子１０７に送られることを防止する。図１３は、増幅回路１００での増幅器１０４へ入力される信号の電力値Ｐｉｎ１と、出力端子１０７から出力される信号の電力値Ｐｏｕｔ２の関係を示す。図１３において、横軸は増幅器１０４に入力される信号の電力値Ｐｉｎ１を表し、縦軸は増幅器１０４から出力される信号の電力値Ｐｏｕｔ２を表している。図１３に示すように、増幅器１０４に入力される電力値Ｐｉｎ１が閾値Ｐｓ以上の場合でも、電力値Ｐｏｕｔ２は電力値Ｐｉｎ１と線形の関係を有する。これにより、増幅器１０４に入力される電力値Ｐｉｎ１が閾値Ｐｓ以上の場合においても、出力端子１０７から出力される信号は歪まず、受信特性が劣化することを回避できる。【０００４】
従来の増幅回路１００においては、制御部１０８は増幅器１０４を歪ませないようにスイッチ１０５を制御するので、電力値の閾値Ｐｓは比較的大きな値に設定される。この場合には、増幅器１０４に入力される信号の電力値Ｐｉｎ１が閾値Ｐｓ以下となる確率は、閾値Ｐｓ以上となる確率より高い。したがって、増幅器１０４の動作が停止してバイパス部１０６を信号が通過する時間は短いので消費電力を低減することは困難である。
【特許文献１】特開２００３−１３３９８３号公報
【発明の開示】
【０００５】
増幅回路は、信号を増幅して出力ポートから出力する可変利得増幅器と、可変利得増幅器の増幅率を変えることができる制御部と、可変利得増幅器の出力ポートから出力された信号を周波数変換して出力する混合器と、混合器が出力する信号のうちの所定の周波数の成分の信号を出力するフィルタと、フィルタの出力する信号の電力に基づく電力値を検出して制御部に送る検出部とを備える。増幅率を変えた直後にフィルタが出力する信号の品質を示す品質値が実質的に設定品質値となるように、制御部は電力値に応じて増幅率を変える。
【０００６】
この増幅回路の消費電力は小さくすることができる。
【図面の簡単な説明】
【０００７】
【図１】図１は本発明の実施の形態１による増幅回路を備えた受信装置のブロック図である。
【図２】図２は実施の形態１による受信装置に入力される信号を示す。
【図３Ａ】図３Ａは実施の形態１による受信装置の信号の品質値を示す。
【図３Ｂ】図３Ｂは実施の形態１による受信装置の信号の品質値を示す。
【図３Ｃ】図３Ｃは実施の形態１による受信装置の信号の品質値を示す。
【図４】図４は実施の形態１による受信装置の信号の品質値を示す。
【図５】図５は実施の形態１による受信装置の信号の品質値を示す。
【図６Ａ】図６Ａは実施の形態１による受信装置の信号の品質値を示す。
【図６Ｂ】図６Ｂは実施の形態１による増幅回路の制御部が記憶するデータベースを示す。
【図７】図７は本発明の実施の形態２による増幅回路の他の可変利得増幅器の回路図である。
【図８】図８は実施の形態２による可変利得増幅器の電界効果トランジスタ（ＦＥＴ）の特性を示す。
【図９】図９は実施の形態２によるＦＥＴの特性を示す。
【図１０】図１０は実施の形態２による増幅回路の信号の品質値を示す。
【図１１】図１１は従来の増幅回路のブロック図である。
【図１２】図１２は従来の増幅回路の増幅器の特性を示す。
【図１３】図１３は従来の増幅回路の特性を示す。
【符号の説明】
【０００８】
２    入力ポート
３    出力ポート
４    増幅器
４Ａ    可変利得増幅器
４Ｂ    可変利得増幅器
５    制御部
６    高周波可変利得増幅器
７    混合器
８    フィルタ
９    中間周波可変利得増幅器
１１    検出部（第１の検出部）
１２    検出部（第２の検出部）
１３    スイッチ
１５    情報処理部
１６    表示部
Ｐ１    電力値（第１の電力値）
Ｐ２    電力値（第２の電力値）
【発明を実施するための最良の形態】
【０００９】
（実施の形態１）
図１は、本発明の実施の形態による受信装置１４のブロック図である。受信装置１４は、局部発振信号ＳＬを発生する局部発振器７Ａと、増幅回路１と、信号処理部１５と、表示部１６とを備える。増幅回路１は入力ポート２から入力された信号Ｓｉを増幅して出力ポート３から出力する増幅器４と、増幅器４の出力ポート３から出力される信号Ｓ１を増幅する高周波可変利得増幅器６と、局部発振信号ＳＬと高周波可変利得増幅器６の出力する信号Ｓ２とを混合して信号Ｓ２の周波数を変換する混合器７と、混合器７の出力する信号Ｓ３のノイズを除去するフィルタ８と、フィルタ８の出力する信号Ｓ４を増幅する中間周波可変利得増幅器９と、中間周波可変利得増幅器９の出力する信号Ｓ５をデジタルデータに変換するＡ／Ｄコンバータ１０とを備える。信号処理部１５は、Ａ／Ｄコンバータ１０の出力するデジタルデータを処理する。表示部１６は、信号処理部１５で処理されたデータに基づいて画像を表示する。検出部１１はＡ／Ｄコンバータ１０の出力するデータに基づき、中間周波可変利得増幅器９の出力する信号Ｓ５の電力の大きさに基づく電力値Ｐ１を検出する。検出部１２は、高周波可変利得増幅器６の出力する信号Ｓ２の電力の大きさに基づく電力値Ｐ２を検出する。増幅器４の入力ポート２と出力ポート３との間に接続されたスイッチ１３は、入力ポート２と出力ポート３とを接続しかつ切断する。制御部５は、検出部１１、１２で検出された信号Ｓ２、Ｓ５の電力値Ｐ１、Ｐ２に基づき、増幅器４への電力の供給を制御し、スイッチ１３を制御し、かつ高周波可変利得増幅器６と中間周波可変利得増幅器９の増幅率を制御するように動作する。増幅器４とスイッチ１３は、入力ポート２と出力ポート３とを有する可変利得増幅器４Ａを構成する。具体的には、制御部５がスイッチ１３を非接続にしてかつ増幅器４へ電力を供給することにより、可変利得増幅器４Ａは入力ポート２に入力された信号Ｓｉを増幅器４の増幅率で増幅して出力ポート３から出力する。また、制御部５がスイッチ１３を接続してかつ増幅器４への電力の供給を停止することにより、可変利得増幅器４Ａは入力ポート２に入力された信号Ｓｉをそのまま、すなわち０ｄＢの増幅率で増幅して出力ポート３から出力する。【００１０】
図２は入力ポート２に入力される信号Ｓｉを示す。実施の形態では信号Ｓｉはテレビ放送の信号である。図２において、横軸は信号Ｓｉの周波数を表し、縦軸はその周波数での信号Ｓｉの電力値を表す。テレビ放送の複数のチャネルは約６ＭＨｚの周波数帯域ＢＷを有しており、それらが隣接して配置されている。受信装置１４がチャネル１８の信号を希望波として受信している時には、チャネル１８以外のチャネル１７、１９の信号は妨害波となる。このように、入力ポート２に入力される信号Ｓｉには希望波と妨害波とが含まれている。フィルタ８は、混合器７が出力する信号のうちの所定の周波数の成分の信号である希望波を出力し、所定の周波数以外の成分の信号を通過させない。フィルタ８に入力される前の信号Ｓ１〜Ｓ３のそれぞれには希望波と妨害波とが含まれている。検出部１２で検出される信号Ｓ２は希望波と妨害波の双方を含む。電力値Ｐ２は希望波の電力の大きさと妨害波の電力の大きさの和に対応している。フィルタ８は信号Ｓ２から妨害波を概ね除去するので、フィルタ８の出力する信号Ｓ４には主に希望波のみが含まれ、妨害波は含まれていない。したがって、検出部１１が検出する電力値Ｐ１は、主に希望波の電力値である。【００１１】
制御部５は、信号Ｓ５の電力値Ｐ１を基に中間周波可変利得増幅器９の増幅率を制御し、中間周波可変利得増幅器９より後段の半導体素子等の能動素子で信号が歪むことを防止する。また制御部５は、信号Ｓ２の電力値Ｐ２に基づいて高周波可変利得増幅器６の増幅率を調整し、高周波可変利得増幅器６より後段の能動素子が歪むことを防止する。【００１２】
検出部１１、１２はそれぞれ信号Ｓ５、Ｓ２の瞬時電力の平均値またはピーク値を電力値Ｐ１、Ｐ２として検出する。電力値Ｐ１、Ｐ２が瞬時電力の平均値である場合には、電力値Ｐ１、Ｐ２は安定している。信号の変調方式により瞬時電力の平均値とピーク値との比が違うので、電力値Ｐ１、Ｐ２が瞬時電力のピーク値である場合には、変調方式によらず高周波可変利得増幅器６または中間周波可変利得増幅器９の後段の能動素子の性能を最大限に活用することができる。【００１３】
検出部１１、１２が信号の電力のピーク値を検出できる場合には、検出部１２は妨害波の電力値のピーク値が所定の値を超える回数をカウントし、カウントした回数に基づいて電力値を検出してもよい。このような平均化を行うことにより、瞬時電力のピーク値が短い時間間隔で頻繁に変化する場合においても電力値Ｐ１、Ｐ２を安定させることができる。【００１４】
制御部５は、電力値Ｐ１に基づいてスイッチ１３を制御してスイッチ１３の接続、非接続を切り替え、かつ増幅器４への電力の供給を制御するように動作する。【００１５】
まず、妨害波の電力が希望波の電力より非常に小さく、妨害波が希望波に対して無視でき、実質的に妨害波が存在しない場合の増幅回路１の動作を以下に説明する。【００１６】
図３Ａは増幅回路１の信号の品質を示す品質値を示す。図３Ａにおいて、横軸は電力値Ｐ１を示し、縦軸は品質値としてキャリア／ノイズ（Ｃ／Ｎ）値を示す。電力値Ｐ１は、中間周波可変利得増幅器９の利得やフィルタ８のロス等の伝送特性と電力の大きさで算出してもよく、電力の大きさを平均化した値でもよい。【００１７】
図３Ａにおいて、横軸の電力値Ｐｓｓは、図１２及び図１３における閾値Ｐｓに相当し、増幅器４が歪み始める値を意味している。図３Ａにおいて、電力値Ｐ１が電力値Ｐｓｓ以上ではグラフの傾きが小さくなり、電力値Ｐ１が大きい時にＣ／Ｎ値の増加率が小さくなっている。電力値Ｐ１が電力値Ｐｓｓ以上のときには増幅器４の出力する信号Ｓ１が歪み、信号の振幅が示すデータの復調が困難になることによりＣ／Ｎ値の増加率が小さくなっている。増幅回路１では、電力値Ｐ１が切替判断値Ｐｃより大きい時に、制御部５はスイッチ１３を接続し、かつ増幅器４への電力の供給を停止する。電力値Ｐ１が切替判断値Ｐｃより小さい時に、制御部５はスイッチ１３を非接続にすると共に、増幅器４へ電力を供給する。スイッチ１３が接続されかつ増幅器４への電力の供給が停止されている場合に、品質値であるＣ／Ｎ値が設定品質値である設定Ｃ／Ｎ値になるときの電力値Ｐ１を切替判断値Ｐｃに設定する。設定品質値とは、受信装置１４が希望波の信号を受信するための最低必要な品質値であり、品質値がＣ／Ｎ値である実施の形態１では設定Ｃ／Ｎ値である。希望波の信号を受信するための最低必要な品質値とは、受信システムの仕様により一義に定まる値であり、正確には、フェージング環境における到来波の変化による受信特性の劣化量も考慮して算出される。例えば、地上波デジタル放送用受信システムのフェージング性能を評価する場合、マルチパス及びレイリーフェージングモデルにはＧＳＭ  Ｔｙｐｉｃａｌ  Ｕｒｂａｎ  ６ｐａｔｈモデルを用いる。受信装置１４が移動する場合に、このモデルにおいてドップラー周波数ｆｄを変化させたときの設定Ｃ／Ｎ値を図３Ｂに示す。図３Ｂでは受信装置１４の移動の速度が低速から中速になるにつれて設定Ｃ／Ｎ値が小さくなり、速度が中速から高速になるにつれて設定Ｃ／Ｎ値が高くなっている。現実的に発生しうるドップラー周波数ｆｄの上限値ｆｄ１における設定Ｃ／Ｎ値は最大値Ｑ１１である。また、設定Ｃ／Ｎ値はドップラー周波数ｆｄ２で最小値Ｑ１２となる。制御部５は設定品質値である設定Ｃ／Ｎ値を最大値Ｑ１１に決定し、最大値Ｑ１１に基づいて切替判断値Ｐｃを決定する。【００１８】
また、制御部５はドップラー周波数ｆｄによって切替判断値Ｐｃを変化させても良い。低消費電力化のためには設定Ｃ／Ｎ値を小さくして、切替判断値Ｐｃを小さくした方が望ましい。制御部５はドップラー周波数ｆｄを検出して、検出されたドップラー周波数ｆｄに基づいて設定品質値である設定Ｃ／Ｎ値を算出し、切替判断値Ｐｃを変化させる。これにより、受信装置１４が低速で移動する場合に増幅回路１の消費電力を少なくすることができる。具体的には、ドップラー周波数ｆｄに応じて、制御部５は第１設定Ｃ／Ｎ値を最大値Ｑ１１と最小値Ｑ１２の間で設定Ｃ／Ｎ値を切り替え、切替判断値Ｐｃを切替えてもよい。【００１９】
また、制御部５はドップラー周波数ｆｄに応じて以下のように設定品質値である設定Ｃ／Ｎ値を変えて切替判断値Ｐｃを変化させてもよい。図３Ｃはドップラー周波数ｆｄを変化させたときの設定Ｃ／Ｎ値を示す。ドップラー周波数ｆｄが切替周波数ｆｄｃより低い領域Ａｆｄでは、制御部５は領域Ａｆｄにおいて最も大きい値Ｑ１３を設定Ｃ／Ｎ値に設定して切替判断値Ｐｃを決定する。また、ドップラー周波数ｆｄが切替周波数ｆｄｃより高い領域Ｂｆｄでは、制御部５は領域Ｂｆｄにおいて最も大きい値Ｑ１１を設定Ｃ／Ｎ値に設定して切替判断値Ｐｃを決定する。図３Ｃでは、ドップラー周波数ｆｄを２つの領域Ａｆｄ、Ｂｆｄで分けているが、ドップラー周波数ｆｄを３つ以上の領域に分けて、設定品質値である設定Ｃ／Ｎ値をそれぞれの領域での最大値に設定して切替判断値Ｐｃをそれぞれの領域で決定してもよい。【００２０】
制御部５は、ドップラー周波数ｆｄの代わりに受信装置１４の移動速度であるドップラー速度Ｖｄによって設定Ｃ／Ｎ値や切替判断値Ｐｃを変えてもよい。受信する信号Ｓｉの周波数ｆｉと光速Ｖｃによりドップラー速度Ｖｄは次の式で表される。【００２１】
Ｖｄ＝ｆｄ×Ｖｃ／ｆｉ
ドップラー周波数ｆｄが一定でも信号Ｓｉの周波数ｆｉによってドップラー速度Ｖｄは異なる。具体的には上式よりドップラー周波数ｆｄが一定である場合、信号Ｓｉの周波数ｆｉが低くなるほどドップラー速度Ｖｄは大きくなる。ドップラー速度Ｖｄで設定品質値や切替判断値Ｐｃを決定する場合には、信号Ｓｉの周波数ｆｉによって設定品質値は変わるので、制御部５は周波数ｆｉに応じて切替判断値Ｐｃを変えても良い。周波数ｆｉが低くなるほどドップラー周波数ｆｄが低くなり、設定Ｃ／Ｎ値が小さくなるので、切替判断値Ｐｃを小さくすることができ、増幅回路１の消費電力を少なくすることができる。【００２２】
ドップラー周波数ｆｄまたはドップラー速度Ｖｄを検出する方法としては、受信信号を使って伝送路を推定する方法、受信された複数のサブキャリア信号の振幅または位相の時間変動の大きさから電波塔を基準とした移動速度を推定する方法、またはＧＰＳや速度センサなどを使って電波塔を基準とした移動速度を推定する方法などが挙げられる。【００２３】
増幅回路１の制御部５は遅延波の数に応じて設定Ｃ／Ｎ値を決定して切替判断値Ｐｃを決定してもよい。具体的には、制御部５は所定の大きさ以上の振幅を有する遅延波の数を計測し、その数に応じて図３Ａ〜図３Ｃに示す特性を変更し、設定Ｃ／Ｎ値を決定する。移動していない時のインパルス応答、または遅延プロファイルを考慮することにより、所定の値以上の電力を有するマルチパス波の数に応じて移動時の切替判断値Ｐｃを変えることにより、さらに増幅回路１の消費電力を削減することが可能になる。ドップラー広がりによる時間変動の周波数スペクトルが周波数伝達関数の特性に影響が穏やかな環境下、即ち移動していない環境にて、インパルス応答または遅延プロファイルを計算する。次にこの移動していない環境でのインパルス応答における所定の電力以上のマルチパス波の数に応じて、あるいは遅延プロファイルの広がりに応じて制御部５は切替判断値Ｐｃを修正する。これにより、増幅回路１が移動した場合に、制御部５は必要以上に可変利得増幅器４Ａの増幅率を切替えず、増幅回路１の消費電力をより削減することが可能になる。移動していない環境でのインパルス応答、遅延プロファイルは次のように算出できる。直交周波数分割多重（ＯＦＤＭ）方式での信号の復調の過程での信号のフーリエ変換の結果、周波数に対する振幅の特性即ち周波数伝達関数Ｔ（ｆ）が計算され、さらに周波数伝達関数Ｔ（ｆ）を逆フーリエ変換することによりインパルス応答ｈ（τ）が得られる。遅延プロファイルｐ（τ）はインパルス応答ｈ（τ）とその共役複素数ｈ＊（τ）との積の時間平均値である。【００２４】
増幅回路１では増幅器４が歪むことを防止できる。図１１に示す従来の増幅回路１００では、増幅器１０４が歪み始める閾値Ｐｓより電力値が大きい場合にのみ、増幅器１０４への電力の供給を停止する。実施の形態１による増幅回路１においては、制御部５は、増幅器４が歪み始める電力値Ｐｓｓより小さい切替判断値Ｐｃより電力値Ｐ１が大きい場合に増幅器４への電力の供給を停止する。したがって、増幅回路１は図１１に示す従来の増幅回路１００より増幅器４への電力の供給をより頻繁に停止することができ、消費電力をより小さくすることができる。【００２５】
制御部５は、信号Ｓｉの周波数ｆｉに応じて、すなわち混合器７に供給される局部発振信号ＳＬの周波数に応じて切替判断値Ｐｃを変えてもよい。これにより、増幅器４が周波数特性を有する場合でも、制御部５は常に適切な切替判断値Ｐｃで可変利得増幅器４Ａを制御することできる。この場合には、制御部５は信号Ｓｉの周波数ｆｉの複数の値と、それらにそれぞれ対応する切替判断値Ｐｃの複数の値を予め記憶している。制御部５は、記憶している切替判断値Ｐｃの複数の値の中から、受信装置１４が受信している周波数ｆｉの値に対応する切替判断値Ｐｃの値を決定する。制御部５は、決定した切替判断値Ｐｃの値と電力値Ｐ１とを比較して、スイッチ１３の接続と非接続を切替え、かつ増幅器４への電力の供給を制御して可変利得増幅器４Ａを制御する。【００２６】
制御部５は、可変利得増幅器４Ａの増幅率の切替え、すなわちスイッチ１３の接続と非接続の切替えと、高周波可変利得増幅器６と中間周波可変利得増幅器９のそれぞれの増幅率の切替えとを同時に実行する。これにより、信号処理部１５に入力される信号のレベル変動を抑制することができ、信号品質の劣化を抑制することが出来る。【００２７】
また、地上波デジタル放送では、マルチパスおよびフェージングの影響を抑えるために変調波での１シンボルあたりの信号期間と、有効な信号を有しない期間であるガードインターバルとを有する。信号期間は有効な信号を有する。受信装置１４がガードインターバルを有する信号を受信する場合には、制御部５が可変利得増幅器４Ａ、６、９の増幅率をガードインターバルの期間内に切り替えてかつ信号期間内に切替えないことで、切替時の信号のレベル変動の影響を抑制することができる。【００２８】
電力値Ｐ１が切替判断値Ｐｃの付近で変動した場合、スイッチ１３は頻繁に切り替えられる。スイッチ１３が切り替えられた時には増幅器４の出力する信号Ｓ１が大きく変化し、その変化に伴いノイズが発生する。したがって、頻繁なスイッチ１３の切替えは信号の品質を劣化させる場合がある。【００２９】
品質の劣化を防止するために、制御部５はヒステリシス特性を有していてもよい。図４は制御部５がヒステリシス特性を有する場合の品質値であるＣ／Ｎ値を示す。図４において、図３Ａと同様に、横軸は電力値Ｐ１を表し、縦軸は信号の品質値であるＣ／Ｎ値を表す。制御部５がスイッチ１３を非接続にしてかつ増幅器４に電力を供給している場合には、電力値Ｐ１が切替判断値Ｐｃ２を超えた時に、スイッチ１３を接続してかつ増幅器４への電力の供給を停止する。また、制御部５はスイッチ１３を接続しかつ増幅器４に電力を供給していない場合には、電力値Ｐ１が切替判断値Ｐｃ２より小さくなった時に制御部５はスイッチ１３を非接続にしてかつ増幅器４へ電力を供給する。２つの切替判断値Ｐｃ１、Ｐｃ２により、短時間に頻繁にスイッチ１３が切り替えられることを防止でき、信号の品質の劣化を防止することができる。【００３０】
フェージングで電力値Ｐ１が短時間に切替判断値Ｐｃ１、Ｐｃ２間の幅を超えて変動した場合には、図４に示す特性を有していても制御部５はスイッチ１３を短い時間間隔で頻繁に切り替え、信号の品質を劣化させる。これを防止するため、制御部５は電力値Ｐ１を所定の期間で平均して平均値を算出し、その平均値を切替判断値Ｐｃ１、Ｐｃ２と比較してスイッチ１３を切替えてもよい。制御部５は電力値Ｐ１を所定の時間間隔で監視し、所定の期間内に電力値Ｐ１が切替判断値Ｐｃ２を超えた回数と切替判断値Ｐｃ１より小さい回数をカウントする。電力値Ｐ１が切替判断値Ｐｃ２を超えた回数が所定の数を超えたときに、制御部５はスイッチ１３を接続して増幅器４への電力の供給を停止する。また、電力値Ｐ１が切替判断値Ｐｃ１より小さい回数が所定の数を超えたときに、制御部５はスイッチ１３を非接続にして増幅器４へ電力を供給する。所定の時間間隔を定めるクロックを任意に選ぶことでスイッチ１３を切替えるタイミングを任意に決めることができる。また、制御部５は電力値Ｐ１を信号の１シンボル毎に１回監視し、所定の数のシンボルの期間内に電力値Ｐ１が切替判断値Ｐｃ２を超えた回数と切替判断値Ｐｃ１より小さい回数をカウントする。同様に、電力値Ｐ１が切替判断値Ｐｃ２を超えた回数が所定の数を超えたときに、制御部５はスイッチ１３を接続して増幅器４への電力の供給を停止する。また、電力値Ｐ１が切替判断値Ｐｃ１より小さい回数が所定の数を超えたときに、制御部５はスイッチ１３を非接続にして増幅器４へ電力を供給する。これにより、電力値Ｐ１を監視する所定の時間間隔を定めるクロックを別途発生する必要がなく、増幅回路１を小型でき低消費電力にすることができる。【００３１】
このように制御部５は電力値Ｐ１を平均化することにより、切替判断値Ｐｃ１、Ｐｃ２間の幅を超えて電力値Ｐ１が変動した場合でもスイッチ１３の頻繁な切替を防止でき、受信した信号の品質の劣化を防止することができる。【００３２】
また、平均化により電力値Ｐ１が安定するので、切替判断値Ｐｃ１、Ｐｃ２の精度を高くすることができる。【００３３】
スイッチ１３を一定時間間隔Ｔで切替ると周波数１／Ｔのノイズが発生する場合がある。制御部５は一定時間間隔でなくスイッチ１３を非周期的に切り替えることにより、このノイズを低減できる。【００３４】
次に、図２に示すように、信号Ｓｉが希望波に対して無視できない大きな電力を有する妨害波を含む場合の増幅回路１の動作を説明する。この場合には、妨害波により増幅器４、高周波可変利得増幅器６、混合器７の能動素子において希望波の周波数帯域に高調波が発生し、この高調波がノイズとして希望波の周波数帯域における信号の品質を大きく劣化させる。したがって、スイッチ１３が接続されて増幅器４への電力の供給が停止されている場合では、設定品質値を得られない場合がある。また、妨害波の電力が希望波の電力より大きい場合、高周波可変利得増幅器６が妨害波の電力により歪む可能性があるので、信号Ｓ２の電力値Ｐ２を基に制御部５は高周波可変利得増幅器６の増幅率を調整する。信号Ｓ２は希望波と妨害波との双方を含むので、制御部５は希望波と妨害波の電力に応じて高周波可変利得増幅器６及び中間周波可変利得増幅器９の増幅率を制御する。その結果、希望波と妨害波の電力に応じて増幅回路１の雑音指数（ＮＦ）特性は変化し、図３Ａや図４に示す電力値Ｐ１によるＣ／Ｎ値のプロファイルは変化する。しかし、希望波の電力と妨害波の電力の比が決まれば、図３Ａや図４に示す電力値Ｐ１に対するＣ／Ｎ値は一意に決定できる。【００３５】
図５は妨害波が無視できない場合の電力値Ｐ１と信号の品質を示す品質値であるＣ／Ｎ値の関係を示す。図５において、横軸は電力値Ｐ１を示し、縦軸はＣ／Ｎ値を示す。特性線３０、３１はそれぞれ希望波の電力に対する妨害波の電力の比が値Ｒ１、Ｒ２のときのＣ／Ｎ値を示す。比の値Ｒ１は値Ｒ２より小さい。特性線３１での妨害波の電力は特性線３０での妨害波の電力より大きいので、電力値Ｐ１が大きくなると、特性線３０よりも早く、高周波可変利得増幅器６の増幅率を下げ始めないと増幅器４が歪む。妨害波に起因する高調波のノイズは希望波の帯域内にも発生するので、特性線３１のＣ／Ｎ値は特性線３０より小さい。制御部５は、希望波の電力に対する妨害波の電力の比が値Ｒ１のときには切替判断値Ｐｃ３でスイッチ１３と増幅器４への電力の供給を切替え、比が値Ｒ２のときには切替判断値Ｐｃ４でスイッチ１３と増幅器４への電力の供給を切替える。すなわち、制御部５は、希望波の電力に対する妨害波の電力の比が値Ｒ１のときには切替判断値Ｐｃ３で可変利得増幅器４Ａの増幅率を切替え、比が値Ｒ２のときには切替判断値Ｐｃ４で可変利得増幅器４Ａの増幅率を切替える。切替判断値Ｐｃ３は切替判断値Ｐｃ４より小さい。【００３６】
なお、希望波の電力に対する妨害波の電力の比は、例えば、検出部１１と検出部１２との間の通過特性と電力値Ｐ１とを基に、電力値Ｐ２中の希望波帯域の電力を勘案することで導出することができる。その比は、実施の形態１では電力値Ｐ１に対する電力値Ｐ２の比であるが、電力値Ｐ１を基に電力値Ｐ２の希望波の成分を勘案し、希望波の成分の電力と妨害波の成分の電力との比でもよく、電力値Ｐ１、Ｐ２を基に算出される。また、電力値Ｐ１に対する電力値Ｐ２の比は、希望波の電力に対する妨害波の電力の比を示している。また、制御部５は高周波可変利得増幅器６の増幅率を入れて希望波の電力と妨害波の電力の比と相関のある値を求め、その値に応じて切替判断値を変えてもよい。【００３７】
図１においては、検出部１２が検出する電力値Ｐ２は高周波可変利得増幅器６が出力する信号Ｓ２の電力の値であるが、混合器７の出力する信号Ｓ３の電力の値であってもよい。信号Ｓ３は希望波と妨害波との双方を含んでいるので、希望波を除去して妨害波のみを通過させるフィルタを介して信号Ｓ３を検出部１２へ入力することにより、検出部１２は妨害波の電力の値を検出することができる。制御部５は、希望波の電力に対する妨害波の電力の比を算出することができる。【００３８】
電力値Ｐ１と電力値Ｐ２との比ＲＳの値と切替判断値Ｐｃ３、Ｐｃ４は、信号の周波数帯域毎に予め決定する。制御部５はそれら決定した値を予め記憶している。制御部５は、受信装置１４が受信している周波数帯域と、電力値Ｐ１、Ｐ２の比ＲＳとに応じて、切替判断値Ｐｃ３、Ｐｃ４のうちの１つの切替判断値Ｐｃを選択する。その後、制御部５は、選択した切替判断値Ｐｃの値と電力値Ｐ１とを比較して、スイッチ１３の接続と非接続を切替え、かつ増幅器４への電力の供給を制御して可変利得増幅器４Ａを制御する。【００３９】
図６Ａは、妨害波の電力が希望波の電力より非常に大きい場合の電力値Ｐ１とＣ／Ｎ値との関係を示す。特性線３２は、制御部５がスイッチ１３を非接続にして増幅器４へ電力を供給した場合のＣ／Ｎ値を示す。特性線３３は、制御部５がスイッチ１３を接続し、増幅器４への電力の供給を停止している場合のＣ／Ｎ値を示す。妨害波の電力が非常に大きいので、図６Ａに示す特性線３２での電力値Ｐ１が大きいときのＣ／Ｎ値は図５に示す特性線３０より小さく、さらに劣化している。したがって、図６Ａに示す特性線３３では、スイッチ１３が接続されて増幅器４への電力の供給を停止している場合に、電力値Ｐ１にかかわらず、増幅回路１の信号のＣ／Ｎ値は設定Ｃ／Ｎ値より小さい。この場合には、図６Ａに示すように、制御部５は特性線３２と特性線３３とが交わる点の電力値Ｐ１を切替判断値Ｐｃ５に決定し、電力値Ｐ１が切替判断値Ｐｃ５より大きい時に、制御部５はスイッチ１３を接続し、かつ増幅器４への電力の供給を停止する。電力値Ｐ１が切替判断値Ｐｃ５より小さい時に、制御部５はスイッチ１３を非接続にすると共に、増幅器４へ電力を供給する。これにより、Ｃ／Ｎ値の劣化を最小限に抑える事ができる。【００４０】
制御部５が記憶する周波数帯域と、電力値Ｐ２に対する電力値Ｐ１の比ＲＳの値と、それらに対応する切替基準値のデータベースを図６Ｂに示す。図６Ｂに示すように、各周波数帯と比ＲＳの各値に対して切替判断値が既定されている。制御部５は受信する周波数を示す信号ＳＦを受け、その周波数と比ＲＳの値に応じて切替判断値を選択し、可変利得増幅器４Ａの増幅率を制御する。【００４１】
なお、比ＲＳの値が既定値以下または以上の場合、切替判断値を一定にしてもよい。例えば、比ＲＳがある既定値以下の場合に切替判断値を一定とする。この場合の既定値が非常に大きい場合は、比ＲＳの値がこの既定値以上のときには希望波の電力が妨害波の電力より非常に大きいことを意味している。このような状態においては、制御部５は電力値Ｐ２とは無関係に電力値Ｐ１のみで高周波可変利得増幅器６および中間周波可変利得増幅器９の増幅率を決定できるので、図３Ａおよび図４に示すように、電力値Ｐ２とは無関係に電力値Ｐ１とＣ／Ｎ値との関係を決定することができる。このように、適当な既定値を決定し、比ＲＳの値がこの規定値以上、または、以下となったときは、切替判断値を一定とすることが可能となる。切替判断値を一定とすることにより、比ＲＳの値が変わる度に制御部５は切替判断値を選択する必要がなくなるので、増幅回路１の消費電力の低減を図ることができる。また、これに併せて、切替判断値を一定とする比ＲＳの値の範囲において、検出部１２が電力値Ｐ２を制御部５に送る頻度を、検出部１１が電力値Ｐ１を制御部５に送信する頻度より少なくしてもよい。比ＲＳが既定値以下または以上となり切替判断値が一定である場合、比ＲＳの値の変化に対する切替判断値の変化の割合が下がる。このように、制御部５は比ＲＳの値が既定値以上または以下となったかどうかだけを判断すればよいので、検出部１２が電力値Ｐ２を制御部５に送る頻度を減らして、消費電力の低減を図ることができる。尚、検出部１２が電力値Ｐ２を制御部５に送信する頻度は、ある瞬間の比ＲＳの値と既定値との差に基づいて変えてもよい。例えば、切替判断値が一定値となる比ＲＳの値の範囲において、ある瞬間の比ＲＳの値と既定値との差が大きいほど、制御部５は検出部１２が電力値Ｐ２を制御部５に送る頻度を低減してもよい。また、切替判断値が一定となる比ＲＳの値の範囲を設定しない場合も含めて、比ＲＳの値の変化に対する切替判断値の変化の割合に比例して、電力値Ｐ２を制御部５に送る頻度を変えてもよい。具体的には、第1の所定値と、第１の所定値より大きい第２の所定値を準備し、比ＲＳの値の変化に対する切替判断値の変化の割合が第１の所定値よりも小さい場合に検出部１２は電力値Ｐ２を制御部５に頻度ＦＲ１で送る。比ＲＳの値の変化に対する切替判断値の変化の割合が第１の所定値より大きく第２の所定値より小さい場合に検出部１２は電力値Ｐ２を制御部５に頻度ＦＲ２で送る。比ＲＳの値の変化に対する切替判断値の変化の割合が第２の所定値より大きい場合に、検出部１２は電力値Ｐ２を制御部５に頻度ＦＲ３で送る。頻度ＦＲ１、ＦＲ２、ＦＲ３は以下を満たしてもよい。【００４２】
ＦＲ１＜ＦＲ２＜ＦＲ３
これにより検出部１２が電力値Ｐ２を制御部５に送る回数を効果的に低減でき、増幅回路１の消費電力を低減することができる。尚、第１の所定値と第２の所定値は同一であってもよい。また、比ＲＳの値の変化に対する切替判断値の変化の割合を複数の所定値と比較して、それらの所定値に反比例して電力値Ｐ２を制御部５に送信する時間間隔を変化させても同様の効果が得られる。【００４３】
または、制御部５は、電力値Ｐ１の変化が第１の所定値より小さい場合に、検出部１１が電力値Ｐ１を制御部５に送る時間間隔を長くし、電力値Ｐ１の変化が第２の所定値より大きい場合に、検出部１１が電力値Ｐ１を制御部５に送る時間間隔を短くしてもよい。また、制御部５は、電力値Ｐ２の変化が第１の所定値より小さい場合に、検出部１２が電力値Ｐ２を制御部５に送る時間間隔を長くし、電力値Ｐ２の変化が第２の所定値より大きい場合に、検出部１２が電力値Ｐ２を制御部５に送る時間間隔を短くしてもよい。すなわち、電力値Ｐ１、Ｐ２のうち少なくとも１つは制御部５へ送信される時間間隔が変化する。制御部５へ前回送信された値に対して、今回送信される値が第１の所定値より小さい場合、その時間間隔は長くなる。また、制御部５へ前回送信された値に対して、今回送信される値が第２の所定値より大きい場合、その時間間隔は短くなる。【００４４】
また、切替判断値を一定とする比ＲＳの値の範囲を設定しない場合も含めて、比ＲＳの値の時間的な変動幅に比例して電力値Ｐ２を制御部５に送信する頻度を変えてもよい。具体的には、比ＲＳの値の変化が第１の所定値より小さい場合、検出部１２が電力値Ｐ２を制御部５に送る時間間隔を長くし、比ＲＳの値の変化が第２の所定値より大きい場合、検出部１２は電力値Ｐ２を制御部５に送る時間間隔は短くしてもよい。この場合に、第１の所定値と第２の所定値を同一にしてもよい。また、比ＲＳの値の変化を複数の所定値と比較して、所定値の大きさに反比例して検出部１２が電力値Ｐ２を制御部５に送る時間間隔を変化させても同様の効果が得られる。【００４５】
更に、電力値Ｐ１の変化に反比例して、検出部１１が電力値Ｐ１を制御部５に送る時間間隔を変化させてもよい。具体的には、電力値Ｐ１の変化が第１の所定値より小さい場合、検出部１１が電力値Ｐ１を制御部５に送る時間間隔を長くし、電力値Ｐ１の変化が第２の所定値より大きい場合、検出部１１が電力値Ｐ１を制御部５に送る時間間隔を短くしてもよい。この場合に、第１の所定値と第２の所定値を同一にしてもよい。また、電力値Ｐ１の変化を複数の所定値と比較して、所定値の大きさに反比例して検出部１１が電力値Ｐ１を制御部５に送る時間間隔を変化させても同様の効果が得られる。【００４６】
これにより、検出部１１、１２がそれぞれ電力値Ｐ１、Ｐ２を制御部５に送る回数を効果的に低減でき、消費電力を低減させることができる。【００４７】
電力値Ｐ１を制御部５へ送っていない期間、制御部５は検出部１１への電力の供給を停止し、検出部１１の動作を停止してもよい。上記のように、電力値Ｐ１を送る回数が減った場合、検出部１１が電力値Ｐ１を検出する頻度が減るので、常時、検出部１１を動作させておく必要は無くなる。故に、検出部１１が電力値Ｐ１を検出していないときには制御部５は検出部１１への電力の供給を停止する。検出部１１が電力値Ｐ１を検出する時のみ制御部５が検出部１１に電力を供給することで、消費電力の少ない増幅回路１を実現する事ができる。【００４８】
同様に、電力値Ｐ２を制御部５へ送っていない期間、制御部５は検出部１２への電力の供給を停止し、検出部１２の動作を停止してもよい。上記のように、電力値Ｐ２を送る回数が減った場合、検出部１２が電力値Ｐ２を検出する頻度が減るので、常時、検出部１２を動作させておく必要は無くなる。故に、検出部１２が電力値Ｐ２を検出していないときには制御部５は検出部１２への電力の供給を停止する。検出部１２が電力値Ｐ２を検出する時のみ制御部５が検出部１２に電力を供給することで、消費電力の少ない増幅回路１を実現する事ができる。【００４９】
尚、図５に示すように電力値Ｐ１に対する電力値Ｐ２の比ＲＳに応じて切替判断値を選択する場合においても、図４に示すように、選択された切替判断値の近傍で２つの切替判断値Ｐｃ１、Ｐｃ２を有するヒステリシス特性で制御部５は可変利得増幅器４Ａの増幅率を切替えてもよい。これにより、頻繁な可変利得増幅器４Ａの変化を回避できる。【００５０】
図１において、増幅回路１は高周波可変利得増幅器６と中間周波可変利得増幅器９のうち少なくとも一方の増幅器を備えていなくてもよく、同様の効果を有する。更に、中間周波可変利得増幅器９は、混合器７から信号処理部１５の間の位置に配置されても、同様の効果を有する。【００５１】
検出部１１はフィルタ８から信号処理部１５の間のどの位置の信号の電力値を電力値Ｐ１として検出してもよい。同様に、検出部１２はフィルタ８と可変利得増幅器４Ａの出力ポート３の間のどの位置の信号の電力値を電力値Ｐ２として検出してもよい。【００５２】
実施の形態１において、制御部５は、信号の品質を示す品質値や設定品質値としてＣ／Ｎ値や設定Ｃ／Ｎ値に基づいて切替判断値を決定する。制御部５は、品質値としてビット誤り率（ＢＥＲ）またはパケット誤り率（ＰＥＲ）に基づいて切替判断値を決定してもよい。【００５３】
（実施の形態２）
図７は、図１に示す実施の形態１による増幅回路１の可変利得増幅器４Ａの代わりに用いられる他の可変利得増幅器４Ｂの回路図である。可変利得増幅器４Ｂは入力ポート２から入力された信号Ｓｉを増幅して出力ポート３から信号Ｓ１として出力する。電界効果トランジスタ（ＦＥＴ）２２のゲートと入力端子との間には直流カット用コンデンサ２３が接続されている。コンデンサ２３がＦＥＴ２２のゲートに接続されている接続点２３Ａにはチョークコイル２４を介して可変電圧源２５が接続されている。ＦＥＴ２２のドレインにはチョークコイル２６を介して定電圧源２７が接続されている。図１に示す制御部５は可変電圧源２５の電圧値を制御して、ＦＥＴ２２のゲートソース間の電圧ＶＧＳを変化させ、ＦＥＴ２２の増幅率を制御する。【００５４】
図８はＦＥＴ２２のゲートとソースとの間の電圧ＶＧＳと、ドレインに流れる電流ＩＤとを示す。図８に示すように、電圧ＶＧＳが大きくなるに従い、電流ＩＤが指数関数的に大きくなる。つまり、増幅器４Ｂの消費電流を低減するためには電流ＩＤを小さくすればよい。【００５５】
図９は、電圧ＶＧＳと電流ＩＤとの相関を表す相互コンダクタンスｇｍとのグラフである。電圧ＶＧＳが小さくなると、相互コンダクタンスｇｍが小さくなる。相互コンダクタンスｇｍはＦＥＴ２２の増幅率を表しているので、電圧ＶＧＳが小さくなると、ＦＥＴ２２の増幅率が小さくなる。図８、図９より、ＦＥＴ２２の増幅率が小さくなるとＦＥＴ２２の消費電流は小さくなると言える。受信装置１４が所望帯域の信号を受信する上で最低必要となる信号の品質値である設定信号品質値を満足するように、できるたけＦＥＴ２２の増幅率を低く抑えれば、増幅回路１の消費電流を低減する事が可能となる。具体的には、増幅器４の増幅率の変えた直後、受信装置１４の品質値は概ね設定信号品質値となっていればよい。【００５６】
図１０は、可変利得増幅器４Ａの代わりに可変利得増幅器４Ｂを備えた増幅回路１における信号の品質を示す品質値であるＣ／Ｎ値を示す。図１０において、横軸は電力値Ｐ１を表し、縦軸はＣ／Ｎ値を表す。制御部５（図１）は可変利得増幅器４Ｂの増幅率Ｇを増幅率Ｇ（１）、…、Ｇ（ｎ−１）、Ｇ（ｎ）、Ｇ（ｎ＋１）、…、Ｇ（ｍ）に設定することができる（ｍ、ｎは２＜ｎ＜ｍを満たす整数）。任意の整数ｋ（１≦ｋ＜ｍ）について増幅率Ｇは、Ｇ（ｋ）＞Ｇ（ｋ＋１）を満たす。制御部５は、可変利得増幅器４Ｂの増幅率Ｇが増幅率Ｇ（２）、…、Ｇ（ｎ−１）、Ｇ（ｎ）、Ｇ（ｎ＋１）、…、Ｇ（ｍ）であるときにＣ／Ｎ値が設定Ｃ／Ｎ値になるときのそれぞれの電力値Ｐ１を切替判断値Ｐｃ（２）、…、Ｐｃ（ｎ−１）、Ｐｃ（ｎ）、Ｐｃ（ｎ＋１）、…Ｐｃ（ｍ）として記憶している。可変利得増幅器４Ｂが増幅率Ｇ（ｎ−１）で信号Ｓｉを増幅している間に電力値Ｐ１が切替判断値Ｐｃ（ｎ）よりも小さい値からＰｃ（ｎ）より大きい値に変化した場合には、電力値Ｐ１が切替判断値Ｐｃ（ｎ）を超えた直後に制御部５（図１）は可変電圧源２５の電圧を下げてＦＥＴ２２の電圧ＶＧＳを下げ、増幅率Ｇを増幅率Ｇ（ｎ−１）から増幅率Ｇ（ｎ）に下げる。その結果、図１０に示すようにＣ／Ｎ値が下がり、設定Ｃ／Ｎ値と実質的に同じとなる。また、可変利得増幅器４Ｂが増幅率Ｇ（ｎ）で信号Ｓｉを増幅している間に電力値Ｐ１が切替判断値Ｐｃ（ｎ）よりも大きい値からＰｃ（ｎ）より小さい値に変化した場合には、電力値Ｐ１が切替判断値Ｐｃ（ｎ）を下回った直後に制御部５（図１）は可変電圧源２５の電圧を上げてＦＥＴ２２の電圧ＶＧＳを上げ、増幅率Ｇを増幅率Ｇ（ｎ）から増幅率Ｇ（ｎ−１）に上げる。その結果、図１０に示すようにＣ／Ｎ値が上がり、Ｃ／Ｎ値が設定Ｃ／Ｎ値を下回ることを防止する。これにより、増幅器４Ｂの増幅率Ｇを不要に大きくすることなく、Ｃ／Ｎ値が設定Ｃ／Ｎ値を下回ること防ぐ事ができ、増幅回路１の消費電流を低減しつつ、信号の品質の低下を防ぐことができる。【００５７】
また、制御部５は可変利得増幅器４Ｂの増幅率Ｇを連続的な値に設定してもよい。この場合には、制御部５は信号のＣ／Ｎ値が常に設定Ｃ／Ｎ値になるように増幅率Ｇを調整してもよい。また、実施の形態１と同様に、制御部５は電力値Ｐ１、Ｐ２の双方に基づいて切替判断値を選択してもよく、これにより、実施の形態１と同様の効果を得る事ができる。更に、図４に示すように制御部５はヒステリシス特性を有していてもよく、これにより、実施の形態１と同様の効果を得る事ができる。【００５８】
実施の形態１、２による増幅回路１は低消費電力であるので、特に長時間使用可能な携帯型の通信端末に有用である。
【産業上の利用可能性】
【００５９】
本発明による増幅回路１は低消費電力であるので、特に長時間使用可能な携帯型の通信端末に有用である。
【図１】
2009107359.tif 000003
【図２】
2009107359.tif 000004
【図３Ａ】
2009107359.tif 000005
【図３Ｂ】
2009107359.tif 000006
【図３Ｃ】
2009107359.tif 000007
【図４】
2009107359.tif 000008
【図５】
2009107359.tif 000009
【図６Ａ】
2009107359.tif 000010
【図６Ｂ】
2009107359.tif 000011
【図７】
2009107359.tif 000012
【図８】
2009107359.tif 000013
【図９】
2009107359.tif 000014
【図１０】
2009107359.tif 000015
【図１１】
2009107359.tif 000016
【図１２】
2009107359.tif 000017
【図１３】
2009107359.tif 000018
【手続補正書】
【提出日】平成22年11月25日(2010.11.25)
【手続補正１】
【補正対象書類名】明細書
【補正対象項目名】０００８
【補正方法】変更
【補正の内容】
【０００８】
２    入力ポート
３    出力ポート
４    増幅器
４Ａ    可変利得増幅器
４Ｂ    可変利得増幅器
５    制御部
６    高周波可変利得増幅器
７    混合器
８    フィルタ
９    中間周波可変利得増幅器
１１    検出部（第１の検出部）
１２    検出部（第２の検出部）
１３    スイッチ
１５    信号処理部
１６    表示部
Ｐ１    電力値（第１の電力値）
Ｐ２    電力値（第２の電力値）
【手続補正２】
【補正対象書類名】明細書
【補正対象項目名】００１１
【補正方法】変更
【補正の内容】
【００１１】
制御部５は、信号Ｓ５の電力値Ｐ１を基に中間周波可変利得増幅器９の増幅率を制御し、中間周波可変利得増幅器９より後段の半導体素子等の能動素子で信号が歪むことを防止する。また制御部５は、信号Ｓ２の電力値Ｐ２に基づいて高周波可変利得増幅器６の増幅率を調整し、高周波可変利得増幅器６より後段の能動素子で信号が歪むことを防止する。
【手続補正３】
【補正対象書類名】明細書
【補正対象項目名】００１８
【補正方法】変更
【補正の内容】
【００１８】
また、制御部５はドップラー周波数ｆｄによって切替判断値Ｐｃを変化させても良い。低消費電力化のためには設定Ｃ／Ｎ値を小さくして、切替判断値Ｐｃを小さくした方が望ましい。制御部５はドップラー周波数ｆｄを検出して、検出されたドップラー周波数ｆｄに基づいて設定品質値である設定Ｃ／Ｎ値を算出し、切替判断値Ｐｃを変化させる。これにより、受信装置１４が低速で移動する場合に増幅回路１の消費電力を少なくすることができる。具体的には、ドップラー周波数ｆｄに応じて、制御部５は最大値Ｑ１１と最小値Ｑ１２の間で設定Ｃ／Ｎ値を切り替え、切替判断値Ｐｃを切替えてもよい。
【手続補正４】
【補正対象書類名】明細書
【補正対象項目名】００２９
【補正方法】変更
【補正の内容】
【００２９】
品質の劣化を防止するために、制御部５はヒステリシス特性を有していてもよい。図４は制御部５がヒステリシス特性を有する場合の品質値であるＣ／Ｎ値を示す。図４において、図３Ａと同様に、横軸は電力値Ｐ１を表し、縦軸は信号の品質値であるＣ／Ｎ値を表す。制御部５がスイッチ１３を非接続にしてかつ増幅器４に電力を供給している場合には、電力値Ｐ１が切替判断値Ｐｃ２を超えた時に、スイッチ１３を接続してかつ増幅器４への電力の供給を停止する。また、制御部５はスイッチ１３を接続しかつ増幅器４に電力を供給していない場合には、電力値Ｐ１が切替判断値Ｐｃ１より小さくなった時に制御部５はスイッチ１３を非接続にしてかつ増幅器４へ電力を供給する。２つの切替判断値Ｐｃ１、Ｐｃ２により、短時間に頻繁にスイッチ１３が切り替えられることを防止でき、信号の品質の劣化を防止することができる。
【手続補正５】
【補正対象書類名】明細書
【補正対象項目名】００４０
【補正方法】変更
【補正の内容】
【００４０】
制御部５が記憶する周波数帯域と、電力値Ｐ２に対する電力値Ｐ１の比ＲＳの値と、それらに対応する切替判断値のデータベースを図６Ｂに示す。図６Ｂに示すように、各周波数帯と比ＲＳの各値に対して切替判断値が既定されている。制御部５は受信する周波数を示す信号ＳＦを受け、その周波数と比ＲＳの値に応じて切替判断値を選択し、可変利得増幅器４Ａの増幅率を制御する。
【手続補正６】
【補正対象書類名】明細書
【補正対象項目名】００４３
【補正方法】変更
【補正の内容】
【００４３】
または、制御部５は、電力値Ｐ１の変化が第１の所定値より小さい場合に、検出部１１が電力値Ｐ１を制御部５に送る時間間隔を長くし、電力値Ｐ１の変化が第２の所定値より大きい場合に、検出部１１が電力値Ｐ１を制御部５に送る時間間隔を短くしてもよい。また、制御部５は、電力値Ｐ２の変化が第１の所定値より小さい場合に、検出部１２が電力値Ｐ２を制御部５に送る時間間隔を長くし、電力値Ｐ２の変化が第２の所定値より大きい場合に、検出部１２が電力値Ｐ２を制御部５に送る時間間隔を短くしてもよい。すなわち、電力値Ｐ１、Ｐ２のうち少なくとも１つは制御部５へ送信される時間間隔が変化する。制御部５へ前回送信された値に対して、今回送信される値が第１の所定値より小さい値だけ変化した場合、その時間間隔は長くなる。また、制御部５へ前回送信された値に対して、今回送信される値が第２の所定値より大きい値だけ変化した場合、その時間間隔は短くなる。
【手続補正７】
【補正対象書類名】明細書
【補正対象項目名】００５５
【補正方法】変更
【補正の内容】
【００５５】
図９は、電圧ＶＧＳと電流ＩＤとの相関を表す相互コンダクタンスｇｍのグラフである。電圧ＶＧＳが小さくなると、相互コンダクタンスｇｍが小さくなる。相互コンダクタンスｇｍはＦＥＴ２２の増幅率を表しているので、電圧ＶＧＳが小さくなると、ＦＥＴ２２の増幅率が小さくなる。図８、図９より、ＦＥＴ２２の増幅率が小さくなるとＦＥＴ２２の消費電流は小さくなると言える。受信装置１４が所望帯域の信号を受信する上で最低必要となる信号の品質値である設定信号品質値を満足するように、できるたけＦＥＴ２２の増幅率を低く抑えれば、増幅回路１の消費電流を低減する事が可能となる。具体的には、増幅器４の増幅率の変えた直後、受信装置１４の品質値は概ね設定信号品質値となっていればよい。
【手続補正８】
【補正対象書類名】明細書
【補正対象項目名】００５６
【補正方法】変更
【補正の内容】
【００５６】
図１０は、可変利得増幅器４Ａの代わりに可変利得増幅器４Ｂを備えた増幅回路１における信号の品質を示す品質値であるＣ／Ｎ値を示す。図１０において、横軸は電力値Ｐ１を表し、縦軸はＣ／Ｎ値を表す。制御部５（図１）は可変利得増幅器４Ｂの増幅率Ｇを増幅率Ｇ（１）、…、Ｇ（ｎ−１）、Ｇ（ｎ）、Ｇ（ｎ＋１）、…、Ｇ（ｍ）に設定することができる（ｍ、ｎは２＜ｎ＜ｍを満たす整数）。任意の整数ｋ（１≦ｋ＜ｍ）について増幅率Ｇは、Ｇ（ｋ）＞Ｇ（ｋ＋１）を満たす。制御部５は、可変利得増幅器４Ｂの増幅率Ｇが増幅率Ｇ（２）、…、Ｇ（ｎ−１）、Ｇ（ｎ）、Ｇ（ｎ＋１）、…、Ｇ（ｍ）であるときにＣ／Ｎ値が設定Ｃ／Ｎ値になるときのそれぞれの電力値Ｐ１を切替判断値Ｐｃ（２）、…、Ｐｃ（ｎ−１）、Ｐｃ（ｎ）、Ｐｃ（ｎ＋１）、…、Ｐｃ（ｍ）として記憶している。可変利得増幅器４Ｂが増幅率Ｇ（ｎ−１）で信号Ｓｉを増幅している間に電力値Ｐ１が切替判断値Ｐｃ（ｎ）よりも小さい値からＰｃ（ｎ）より大きい値に変化した場合には、電力値Ｐ１が切替判断値Ｐｃ（ｎ）を超えた直後に制御部５（図１）は可変電圧源２５の電圧を下げてＦＥＴ２２の電圧ＶＧＳを下げ、増幅率Ｇを増幅率Ｇ（ｎ−１）から増幅率Ｇ（ｎ）に下げる。その結果、図１０に示すようにＣ／Ｎ値が下がり、設定Ｃ／Ｎ値と実質的に同じとなる。また、可変利得増幅器４Ｂが増幅率Ｇ（ｎ）で信号Ｓｉを増幅している間に電力値Ｐ１が切替判断値Ｐｃ（ｎ）よりも大きい値からＰｃ（ｎ）より小さい値に変化した場合には、電力値Ｐ１が切替判断値Ｐｃ（ｎ）を下回った直後に制御部５（図１）は可変電圧源２５の電圧を上げてＦＥＴ２２の電圧ＶＧＳを上げ、増幅率Ｇを増幅率Ｇ（ｎ）から増幅率Ｇ（ｎ−１）に上げる。その結果、図１０に示すようにＣ／Ｎ値が上がり、Ｃ／Ｎ値が設定Ｃ／Ｎ値を下回ることを防止する。これにより、増幅器４Ｂの増幅率Ｇを不要に大きくすることなく、Ｃ／Ｎ値が設定Ｃ／Ｎ値を下回ること防ぐ事ができ、増幅回路１の消費電流を低減しつつ、信号の品質の低下を防ぐことができる。
【手続補正９】
【補正対象書類名】特許請求の範囲
【補正対象項目名】全文
【補正方法】変更
【補正の内容】
【特許請求の範囲】
【請求項１】
入力ポートから入力された信号を増幅して出力ポートから出力する可変利得増幅器と、
前記可変利得増幅器の増幅率を変えることができる制御部と、
前記可変利得増幅器の前記出力ポートから出力された前記信号を局部発振信号と混合して、前記信号を周波数変換して出力する混合器と、
前記混合器が出力する前記信号のうちの所定の周波数の成分の信号を出力するフィルタと、
前記フィルタの出力する前記信号の電力に基づく第１の電力値を検出して前記制御部に送る第１の検出部と、
を備え、
前記増幅率を変えた直後に前記フィルタが出力する前記信号の品質を示す品質値が実質的に設定品質値となるように、前記制御部は前記第１の電力値に応じて前記増幅率を変え、
前記制御部は、前記第１の電力値が切替判断値を超えた直後に前記増幅率を変えるように動作し、
前記切替判断値は前記局部発振信号の周波数によって異なる、増幅回路。
【請求項２】
前記可変利得増幅器の前記出力ポートと前記フィルタとの間の信号の電力の大きさに基づく第２の電力値を検出する第２の検出部をさらに備え、
前記増幅率を変えた直後に前記フィルタが出力する前記信号の品質を示す品質値が実質的に前記設定品質値となるように、前記制御部は前記第１の電力値と前記第２の電力値とに応じて前記増幅率を変える、請求項１に記載の増幅回路。
【請求項３】
前記第２の検出部が前記制御部に前記第２の電力値を送る頻度に比べて、前記第１の検出部が前記制御部に前記第１の電力値を送る頻度が多い、請求項２に記載の増幅回路。
【請求項４】
前記第１の電力値と、前記第２の電力値のうち少なくとも１つは、前記制御部へ送信される時間間隔が変化し、
前記制御部へ前回送信された値に対して、今回送信される値が第１の所定値より小さい値だけ変化した場合、前記時間間隔は長くなり、
前記制御部へ前回送信された値に対して、今回送信される値が第２の所定値より大きい値だけ変化した場合、前記時間間隔は短くなる、請求項２に記載の増幅回路。
【請求項５】
前記制御部は、前記第２の電力値を所定期間で平均化した値に基づいて前記可変利得増幅器の前記増幅率を変えるように動作する、請求項２に記載の増幅回路。
【請求項６】
前記可変利得増幅器は、
前記入力ポートから入力された前記信号を所定の増幅率で増幅して前記出力ポートから出力する増幅器と、
前記入力ポートと前記出力ポートとの間に接続され、前記入力ポートと前記出力ポートとの間の接続、非接続を切り替えるスイッチと、
を有し、
前記制御部は、
前記スイッチを接続している時は、前記増幅器への電力の供給を停止し、
前記スイッチを非接続にしている時は、前記増幅器へ電力を供給する、
ように動作する、請求項１に記載の増幅回路。
【請求項７】
前記制御部は、
前記増幅率を増幅率Ｇ（１）、…、Ｇ（ｎ−１）、Ｇ（ｎ）、…Ｇ（ｍ）に設定でき（ｎ、ｍは２＜ｎ＜ｍを満たす整数）、
前記増幅率が増幅率Ｇ（２）、…、Ｇ（ｎ−１）、Ｇ（ｎ）、Ｇ（ｎ＋１）、…、Ｇ（ｍ）であるときに信号のＣ／Ｎ値が設定Ｃ／Ｎ値になるときのそれぞれの電力値Ｐ１を切替判断値Ｐｃ（２）、…、Ｐｃ（ｎ−１）、Ｐｃ（ｎ）、Ｐｃ（ｎ＋１）、…Ｐｃ（ｍ）として記憶し、
前記増幅率が増幅率Ｇ（ｎ−１）である間に前記第１の電力値が前記切替判断値Ｐｃ（ｎ）よりも小さい値から前記切替判断値Ｐｃ（ｎ）より大きい値に変化した場合には、前記電力値Ｐ１が前記切替判断値Ｐｃ（ｎ）を超えた直後に前記増幅率を増幅率Ｇ（ｎ−１）から増幅率Ｇ（ｎ）に変え、
前記増幅率が増幅率Ｇ（ｎ）である間に前記第１の電力値が前記切替判断値Ｐｃ（ｎ）よりも大きい値から前記切替判断値Ｐｃ（ｎ）より小さい値に変化した場合には、前記電力値Ｐ１が前記切替判断値Ｐｃ（ｎ）を下回った直後に前記増幅率を増幅率Ｇ（ｎ）から増幅率Ｇ（ｎ−１）に変える、請求項１に記載の増幅回路。
【請求項８】
前記制御部は前記第１の電力値を前記制御部へ送っていない期間に、前記第１の検出部への電力の供給を停止するように動作する、請求項１に記載の増幅回路。
【請求項９】
前記設定品質値はドップラー周波数に基づいて決定される、請求項１に記載の増幅回路。
【請求項１０】
前記可変利得増幅器の前記出力ポートと前記混合器との間に接続された高周波可変利得増幅器をさらに備え、
前記制御部は、前記可変利得増幅器の前記増幅率と前記高周波可変利得増幅器の増幅率を同時に変えるように動作する、請求項１に記載の増幅回路。
【請求項１１】
前記フィルタと前記第１の検出部との間に接続された中間周波可変利得増幅器をさらに備え、
前記制御部は、前記可変利得増幅器の前記増幅率と前記中間周波可変利得増幅器の増幅率を同時に変えるように動作する、請求項１に記載の増幅回路。
【請求項１２】
前記入力ポートに入力された前記信号はガードインターバルを有し、
前記制御部は前記ガードインターバルの期間内に前記可変利得増幅器の前記増幅率を変える、請求項１に記載の増幅回路。
【請求項１３】
前記制御部は、前記第１の電力値を所定期間で平均化した値に基づいて前記可変利得増幅器の前記増幅率を変えるように動作する、請求項１に記載の増幅回路。
【請求項１４】
請求項１に記載の増幅回路と、
前記増幅回路の前記フィルタの出力する信号を処理する信号処理部と、
前記処理された信号に基づいて画像を表示する表示部と、
を備えた受信装置。
【国際調査報告】
2009107359.tif 000019
2009107359.tif 000020
2009107359.tif 000021
2009107359.tif 000022